(57)【要約】【課題】外部の浮遊物を含んだ空気を巻き込んで吸引することを防止するとともに、圧迫感や息苦しさがなく、使用中も会話や食事に支障を来すことのない携帯型空調装置のアタッチメントおよび携帯型空調装置を提供する。【解決手段】携帯型空調装置１は、首からぶら下げたり、ベルトに装着したりして携帯することが可能な空気清浄機１０と、使用者の顔面に装着され、空気清浄機１０で浄化された空気を使用者に吸引させるアタッチメント２０とにより構成されている。アタッチメント２０の通気管は、一方の頬側から他方の頬側へと顔面を横断するように、かつ、鼻孔を含めた鼻の下部を覆うように形成されており、浄化された空気を、鼻孔の下方を鼻筋に対して略直角となる方向に流すことができ、使用者が鼻で呼吸をすることで、浮遊物を含んだ空気を巻き込むことなく浄化された空気のみを吸引することが可能となっている。【選択図】図１
2007151823.tif 000002
【特許請求の範囲】
【請求項１】
浄化された空気を、鼻孔の下方を鼻筋に対して略直角となる方向に流す通気管を備え、
前記通気管は、前記鼻孔が位置する部分に形成された開口部を有する、携帯型空調装置のアタッチメント。
【請求項２】
前記通気管を流れる空気は、レイノルズ数で１０００以上３０００以下である請求項１記載の携帯型空調装置のアタッチメント。
【請求項３】
前記通気管は、鼻の下部を覆うものである請求項１または２に記載の携帯型空調装置のアタッチメント。
【請求項４】
請求項１から３のいずれかの項に記載の携帯型空調装置のアタッチメントと、
携帯可能な空気清浄機と
を備えた携帯型空調装置。
【発明の詳細な説明】
【技術分野】
【０００１】
本発明は、個人用でかつ携帯可能な空調装置のアタッチメントならびに携帯型空調装置に関する。
【背景技術】
【０００２】
近年、花粉症等のアレルギー体質者の増加に伴い、部屋の中に空気清浄装置を設置し、この空気清浄装置によって花粉や埃、病原菌、その他浮遊微粒子などの浮遊物を除去して空気を浄化することが広く行われている。
【０００３】
一方、外出する際や職場など公共の場においては、上記のような空気清浄装置を持ち歩いたり設置したりすることは困難であるため、個々人がガーゼや不織布などから成るマスクを装着し、浮遊物の体内への侵入を防いでいる。しかしながら、このようなマスクの使用においては、使用者が呼吸をするたびにマスク内が負圧になったり正圧になったりすることにより、顔面とマスクとの間に生じている隙間から浮遊物を含んだ外気が混入することが多く、マスクによる浮遊物の除去効果はあまりないのが現状である。
【０００４】
そこで、外出などの移動中に使用したり、職場などで個人的に使用したりすることができる携帯型の空気清浄装置が要望されている。このような携帯型空気清浄装置として例えば特許文献１、２に記載のものがある。
【０００５】
特許文献１には、個人用の携帯可能な空気浄化装置と、鼻および口、さらには任意で目を覆うマスクと、空気浄化装置とマスクとを連結する可撓性で弾性の空気ダクトとを備えた携帯用空気浄化装置が記載されている。
【０００６】
また、特許文献２には、顔面を透明プラスチック板で覆い、顔面との隙間に生じる空間に、浄化した空気を吹送する装着式空気浄化装置が記載されている。プラスチック板は、額から鼻先にかけて顔面を覆うように形成され、浄化された空気は、このプラスチック板と顔面との間を額側から鼻側に向けて吸送されており、このような構成により外気より高圧の場をつくることで、汚染した外気の流入を防止することができると記載されている。
【０００７】
【特許文献１】特表平８−５０３６２２号公報
【特許文献２】特開２００１−６１９７９号公報
【発明の開示】
【発明が解決しようとする課題】
【０００８】
特許文献１に記載の携帯用空気浄化装置は、鼻および口を一体的に覆い、空気浄化装置により浄化された空気が強制的に送風されるマスクを備えているため、ガーゼや不織布から成るマスクと異なり、外気の混入も少なく、浮遊物の体内への侵入を防ぐことができると考えられる。
しかしながら、特許文献１の携帯用空気浄化装置は、鼻および口をマスクで一体的に覆っているため、使用者に息苦しさや圧迫感を与えてしまうだけでなく、会話がしづらく、食事をすることもできないので、日常的に使用するのは困難である。
【０００９】
一方、特許文献２に記載の装着式空気浄化装置は、口周りは開放されているため、息苦しさや会話のしづらさ、食事などの問題を解消することができると思われる。しかしながら、プラスチック板は使用者の鼻先あたりを覆う程度にしか形成されておらず、呼吸による鼻の吸い込み力により、浮遊物が含まれた外気が混入しやすい。また、浄化された空気は額側から鼻側に向けて吸送されているため、鼻の周囲を通って外部へ吹き出されてしまい、浄化された空気を鼻孔から吸引することは困難であると推測される。
【００１０】
そこで、本発明は、上記問題点に鑑み、外部の浮遊物を含んだ空気を巻き込んで吸引することを防止するとともに、圧迫感や息苦しさがなく、使用中も会話や食事に支障を来すことのない携帯型空調装置のアタッチメントおよび携帯型空調装置を提供することを目的とする。
【課題を解決するための手段】
【００１１】
本発明の携帯型空調装置のアタッチメントは、浄化された空気を、鼻孔の下方を鼻筋に対して略直角となる方向に流す通気管を備え、この通気管は、鼻孔が位置する部分に形成された開口部を有することを特徴とする。
【００１２】
本発明は、通気管を備えたことにより、空気清浄機等で浄化された空気は、鼻孔の下方を鼻筋に対して略直角となる方向に流れている。ここで、使用者が鼻で呼吸をすると、その呼吸により通気管から鼻孔に向かう吸引力が生じ、外部の浮遊物を含んだ空気を巻き込むことなく、浄化された空気を通気管の開口部から吸引することができる。
【００１３】
ここで、通気管を流れる空気は、レイノルズ数で１０００以上３０００以下、より好ましくは１４００以上２３００以下である方が望ましい。通気管を流れる空気のレイノルズ数が１０００以上３０００以下であることにより、通気管内の空気の流れを安定した状態にすることができるとともに、通気管内の圧力を大気圧とほぼ同じかわずかに正圧にすることができ、通気管の開口部から浄化された空気がわずかにオーバーフローする状態となるので、浄化されていない空気が鼻孔周辺に混入することを防ぐことができる。これにより、使用者が鼻で呼吸をする際に、外部の浮遊物を含んだ空気を巻き込んで吸引することをさらに防ぐことができる。また、通気管を流れる空気を安定した状態とすることで、使用者の鼻の下方をそよそよと流れる程度の空気流とすることができる。
【００１４】
通気管を流れる空気のレイノルズ数が１０００より小さいと、開口部から通気管の中に外部の浮遊物を含んだ空気が流入してくる恐れがある。また、レイノルズ数が３０００より大きいと、通気管内の空気の流れが乱れ、使用者に不快感を与えてしまう。
【００１５】
また、レイノルズ数が１４００以上２３００以下であればより好ましく、これにより、通気管を流れる空気を層流とすることができ、さらに、使用者に違和感や不快感を生じさせることがない空気の流れとすることができる。
【００１６】
さらに、通気管は、鼻孔を含めた鼻の下部を覆うものである方が望ましい。鼻の下部を覆うことにより、強風や突風などの外乱により通気管周辺の気流が乱れても、外部の浮遊物を含んだ空気を巻き込んで吸引してしまうことを完全に防止することができる。
【００１７】
上記携帯型空調装置のアタッチメントと、携帯可能な空気清浄機とを備えた携帯型空調装置とすることができる。これにより、外出などの移動中に使用したり、個人的に職場で使用したり、日常的に使用することが可能な携帯型空調装置とすることができる。
【発明の効果】
【００１８】
本発明によれば、上記通気管により、浄化された空気を鼻孔の下方を鼻筋に対して略直角となる方向に流すことができるので、鼻孔から、外部の浄化されていない空気を巻き込むことなく浄化された空気を吸引することができ、花粉や埃、病原菌、その他浮遊微粒子などが体内に侵入することを防止することができる。
また、鼻や口を一体的に覆うことなく浄化された空気を吸引することができるので、圧迫感や息苦しさがなく、使用中も会話や食事を自由に行うことができる。
【発明を実施するための最良の形態】
【００１９】
図１は本発明の実施の形態における携帯型空調装置を装着した状態を示す図である。図２は、本実施の形態の携帯型空調装置の空気清浄機を示す図であり、（ａ）は斜視図、（ｂ）は分解斜視図である。図３は、本実施の形態の携帯型空調装置のアタッチメントの斜視図であり、（ａ）は正面側、（ｂ）は裏面側である。
【００２０】
図１に示すように、本実施の形態における携帯型空調装置１は、首からぶら下げたり、ベルトに装着したりして携帯することが可能な空気清浄機１０と、使用者の顔面に装着され、空気清浄機１０で浄化された空気を使用者に吸引させるアタッチメント２０とにより構成される。
【００２１】
空気清浄機１０は、携帯可能な大きさに小型化され、かつ、軽量化された空気清浄機である。図２に示すように、空気清浄機１０は、本体カバー１１の中に、小型バッテリー１２とファンユニット１３とフィルタ１４を内蔵している。
【００２２】
小型バッテリー１２は、ファンユニット１３を駆動する駆動源であり、充電可能なものである。また、付属で小型電池を取り付けることも可能である。ファンユニット１３は、薄型の直方体に形成され、電源スイッチ（図示せず）と、風量調整ボリューム１３ａと、後述する送気管３０を接続するための取付口１３ｂとを備えている。
【００２３】
フィルタ１４は、活性炭フィルタや高性能フィルタなどからなるメインフィルタ１４ａとプレフィルタ１４ｂとにより構成されるものである。プレフィルタ１４ｂにより空気中に浮遊する比較的大きな浮遊物を取り除き、メインフィルタ１４ａで花粉や微細な埃、病原菌などを取り除く。このメインフィルタ１４ａは除去したい浮遊物の種類によって、上述した活性炭フィルタや高性能フィルタの他に、人工呼吸器に用いられる人工鼻フィルタ、抗菌マスクに用いられるフィルタなど、付加機能の異なるものを１種類あるいは複数種類任意に選択して用いることができる。
【００２４】
図３に示すように、アタッチメント２０は、顔面に沿うように全体が緩やかに湾曲した通気管２１と、この通気管２１を顔面に装着するための係止具２２とにより構成されている。
【００２５】
通気管２１は、口径、つまり、軸垂直方向断面の面積が５．０ｃｍ2程度の筒状体であり、一方の頬側から他方の頬側へと顔面を横断するように、かつ、鼻孔を含めた鼻の下部を覆うように形成されている。通気管２１は、空気に含まれる水蒸気により変形したり破れたりすることを防ぐ程度の耐水性を有する材質であればどのようなもので形成してもよく、プラスチックやアルミ、耐水処理を施した厚紙などを使用することができるが、使用者にとって肌触りのよいものがより望ましい。
【００２６】
通気管２１には、鼻孔が位置する部分であり、鼻の下部が挿入可能な開口部２３が形成されている。また、開口部２３の縁部であり、鼻筋に触れる部分には、空気の流入や漏れを防ぐとともに、開口部２３の縁部と鼻筋との擦れを和らげるゴムやスポンジなどの材料からなるクッション部材２３ａが装着されている。
【００２７】
通気管２１の一方の端部には、空気清浄機１０で浄化された空気を、送気管３０を介して取り込む導入口２４が形成され、通気管２１の他方の端部には、通気管２１内を通過した空気が排出される排出口２５が形成されている。
【００２８】
係止具２２は、耳に係止可能なものであればどのようなものでもよく、例えば、ゴムやひもを輪状にしたものを用いることができる。なお、通気管２１を顔面に沿って隙間なく装着することができるように、係止具２２は長さや大きさを使用者が適宜調整することができるものが望ましい。
【００２９】
送気管３０は、可撓性のゴム管や塩化ビニルやオレフィン系エラストマー等を材質としたチューブ、あるいは蛇腹状のプラスチック管であり、空気清浄機１０で浄化された空気をアタッチメント２０まで送風するものである。上述したように、送気管３０の一方の端部は、空気清浄機１０の取付口１３ｂに接続され、他方の端部はアタッチメント２０の導入口２４に接続される。送気管３０の長さは、空気清浄機１０を首からぶら下げる場合やベルトに取り付ける場合に応じて適宜調整することができる。また送気管３０は、装着時に周囲の物体に引っ掛かることのないよう、ピンなどで数カ所洋服に軽く固定して使用する。
【００３０】
次に、本実施の形態における携帯型空調装置の使用状態を説明する。
まず、空気清浄機１０を首にぶら下げるかベルトに装着し、また、アタッチメント２０の係止具２２を耳にそれぞれ引っ掛けて装着する。そして、送気管３０の両端をそれぞれ空気清浄機１０とアタッチメント２０に接続する。
【００３１】
空気清浄機１０の電源を入れ、風量調整ボリューム１３ａにより、通気管２１内への空気の送気量が２５〜４０Ｌ／ｍｉｎとなるように調整する。これにより、空気清浄機１０で浄化された空気は、送気管３０を通って、アタッチメント２０の導入口２４から通気管２１内へと送気され、鼻孔の下方を鼻筋に対して略直角となる方向に流れて排出口２５から排出される。使用者が鼻で呼吸をすることで、通気管から鼻孔に向かう方向に生じる吸引力により、浄化された空気は鼻から吸引される。
【００３２】
このように、本実施の形態では、アタッチメント２０を用いたことにより、呼吸による吸引力に対して、浄化された空気を鼻孔の下方を略直角に流すことができるので、開口部２３の周辺の浮遊物を含んだ空気を巻き込むことなく浄化された空気のみを吸引することができる。
【００３３】
また、本実施の形態では、通気管２１の軸垂直方向断面積を５．０ｃｍ2、空気の送気量を、成人の呼吸量よりもわずかに多い２５〜４０Ｌ／ｍｉｎとすることで、通気管２１内の空気は、レイノルズ数が１４００〜２３００の安定した流れとなっており、通気管２１内には大気圧とほぼ同じかわずかに正圧な状態となっている。つまり、通気管２１の開口部２３から浄化された空気がわずかにオーバーフローしており、使用者の顔面と通気管２１の開口部２３との間に隙間が生じても、空気が流入しにくい状態となっている。これにより、通気管２１内に浮遊物を含んだ外気が混入することをさらに防ぐことができ、使用者が鼻で呼吸をする際に、通気管２１の外部の浄化されていない空気を巻き込んで吸引することを完全に防止することができる。
【００３４】
さらに、本実施の形態においては、通気管２１が鼻の下部を覆うような形状、つまり開口部２３に鼻の下部を挿入することが可能となっており、加えて、開口部２３には空気の流入や漏れを防ぐクッション部材２３ａが装着されているので、これにより、鼻の周辺の浮遊物を含んだ空気の巻き込みをさらに防止することができる。また、強風や突風などの外乱により通気管周辺の気流が乱れても、通気管２１内に浮遊物を含んだ空気が流入することも防ぐことができる。
【００３５】
以上のように、本実施の形態では、携帯型空調装置１のアタッチメント２０により、鼻孔から、外部の浄化されていない空気を巻き込むことなく浄化された空気を吸引することができるので、花粉や埃、病原菌、その他浮遊微粒子などが体内に侵入することを防止することができる。また、鼻と口を一体的に覆うことなく浄化された空気を吸引することができるので、圧迫感や息苦しさがなく、使用中も会話や食事を自由に行うことができる。
【００３６】
また、本実施の形態によれば、浄化された空気は、鼻の鼻腔の方向に対しても略直角となる方向に流れることから、浄化された空気が、直接鼻腔の方向に向かって大量に流れることはないので、鼻腔内の粘膜を過剰に乾燥させることがなく、使用者に不快な思いをさせることがない。
【００３７】
なお、通気管２１の形状および軸垂直方向断面は上記実施の形態に限るものではなく、使用者が装着した場合に食事や会話に邪魔になったり、デザイン的に違和感が生じたりしない程度の大きさのものであればよいが、空気の送気量を、成人の呼吸量よりもわずかに多い程度に確保しつつ、使用者の鼻の下方をそよそよと流れる程度の空気流とするためには、少なくとも軸垂直方向断面積を１．８ｃｍ2程度は確保した方が望ましい。また、通気管２１の軸垂直方向断面の形状は、真円や楕円、顔面の形状に合わせて湾曲した略矩形状など、どのようなものであってもよい。なお、真円にする場合は、軸垂直方向断面の内径が少なくとも１５ｍｍ程度となるように形成する方が望ましい。
【００３８】
なお、本実施の形態では、アタッチメント２０の係止具２２は、ゴムやひもを輪状にしたものを用いたが、これに限らず、図４に示すようにめがね式の係止具４２としてもよい。めがね式の係止具４２のうち、通気管２１の導入口２４が設けられた側の係止具４２の端部４２ａは、導入口２４と連結しており、係止具４２の他方の端部４２ｂには送気管３０を接続することができる。これにより、送気管３０は耳の裏側に位置することとなり、送気管３０が顔面に触れることによる不快感や煩わしさを低減することができる。
【００３９】
また、図５に示すように、アタッチメント装着時のデザイン性を考慮して、通気管５１のうち、鼻の下方にあたる部分を着色し、他の部分を透明な部材で形成した鼻髭型のアタッチメント５０とすることもできる。
【００４０】
なお、本実施の形態の空気清浄機１０は上記実施の形態に限らず、任意の携帯可能な空気清浄機を用いることができる。また、空気清浄機１０に加温装置や調湿装置、マイナスイオン発生装置を備えた構成とすることもできる。加温装置や調湿装置を備えれば、冬季においてもある程度の湿気を含んだ暖かい空気を使用者に供給することができ、鼻づまりや乾燥を防止することが可能な携帯型空調装置とすることができる。
また、マイナスイオン発生装置を備えれば、使用者にマイナスイオンを含んだ空気を供給することができ、細胞が酸素や栄養素をより吸収しやすい状態にすることができる。これにより、本実施の形態の携帯型空調装置を使用すれば、人体の生理作用を快調にするとともに、人間が本来持っている自然治癒力も高めることができる。
【００４１】
また、浄化した空気を吸いつつも、使用者が風邪を引いている場合や、室内に自分の呼気をそのまま排出したくない場合は、通気管２１の排出口２５と、新たに用意にしたもう１台の空気清浄機１０の空気取り込み口（図示せず）とに、排気用の管を接続することによって、呼気を、空気清浄機１０を一度通過させてから排出するようにすれば、呼気を濾過して清浄にした状態で排出することもできる。この場合、排気用の管と通気管２１の排出口２５との接続部分は、呼気とともに少量の外気が排気用の管内に取り込まれるように、わずかに隙間を持たせた状態にするとよい。これにより、通気管２１内の空気の流れが乱れることなく、呼気を空気清浄機１０へと排気することができる。
【００４２】
さらに、空気が清浄な空間（例えば、クリーンルーム等）内であれば、空気清浄機１０の取付口１３ｂに取り付けられていた送気管３０の端部を、空気清浄機１０の空気取り込み口（図示せず）に接続して使用してもよい。この場合、排出口２５側から空間内の浄化された空気を取り込んで呼吸をし、鼻からの呼気を空気清浄機１０へと送って清浄にした状態で排出することができる。これにより、使用者の呼気により空間内の空気を汚染することを防ぐことができる。
【産業上の利用可能性】
【００４３】
本発明の携帯型空調装置のアタッチメントは、外出などの移動中に使用したり、職場などで個人的に使用したりすることができる携帯型空調装置のアタッチメントとして用いることができる。特に、外部の浮遊物を含んだ空気を巻き込んで吸引することを防止するとともに、圧迫感や息苦しさがなく、使用中も会話や食事に支障を来すことのない携帯型空調装置のアタッチメントとして好適に用いることができる。
【図面の簡単な説明】
【００４４】
【図１】本発明の実施の形態における携帯型空調装置を装着した状態を示す図である。
【図２】本実施の形態の携帯型空調装置の空気清浄機を示す図であり、（ａ）は斜視図、（ｂ）は分解斜視図である。
【図３】本実施の形態の携帯型空調装置のアタッチメントの斜視図であり、（ａ）は正面側、（ｂ）は裏面側である。
【図４】他の実施の形態における携帯型空調装置のアタッチメントの斜視図であり、（ａ）は左側面側、（ｂ）は右側面側である。
【図５】他の実施の形態における携帯型空調装置のアタッチメントを装着した状態を示す図である。
【符号の説明】
【００４５】
１  携帯型空調装置
１０  空気清浄機
１１  本体カバー
１２  小型バッテリー
１３  ファンユニット
１３ａ  風量調整ボリューム
１３ｂ  取付口
１４  フィルタ
１４ａ  メインフィルタ
１４ｂ  プレフィルタ
２０，５０  アタッチメント
２１，５１  通気管
２２  係止具
２３  開口部
２３ａ  クッション部材
２４  導入口
２５  排出口
３０  送気管
４２  係止具
４２ａ，４２ｂ  端部
【図１】
2007151823.tif 000003
【図２】
2007151823.tif 000004
【図３】
2007151823.tif 000005
【図４】
2007151823.tif 000006
【図５】
2007151823.tif 000007